(57)【要約】【課題】  複数のパネル体の上下縁部を互いに折曲自在に連結した開閉体の最下端パネル体を柔軟性を有したものに構成したものにおいて、最下端パネル体のさらなる保護が図れるように構成する。【解決手段】  最下端パネル体３を変形自在に構成する一方、該最下端パネル体３の上方に連結される上側パネル体２ａとのあいだの左右方向中間部を、最下端パネル体３に連結される第一支軸１３と、上側パネル体２ａに連結される第二支軸１５と、上下縁部が前記各支軸１３、１５を連結する連結片１６を備えた連結手段６で連結するとともに、第一支軸１３を樹脂製とし、大きな負荷が最下端パネル体３に作用したときは第一支軸１３が破断するように構成する。【選択図】        図４
2005226350.tif 000002
【特許請求の範囲】
【請求項１】
複数のパネル体の上下縁部を互いに折曲自在に連結してなる開閉体を、開口部両側から天井部に沿う略Ｌ字形のガイドレールに移動自在にガイドせしめ、ガイドレールの垂直部に位置する全閉姿勢と、ガイドレールの水平部に位置する全開姿勢とに変姿してなる建築用開閉装置において、前記開閉体を、剛性の大きい複数の剛性パネル体の下方に、少なくとも一枚の湾曲変形自在な変形自在パネル体が連結される構成とし、剛性パネル体と変形自在パネル体との左右方向中間部を連結手段で連結するにあたり、前記連結手段は、上下縁部が剛性パネル体と変形自在パネル体とにそれぞれ連結される剛性の連結片と、変形自在パネル体の変形に基づく負荷が大きくなることにより連結片による連結を解除する連結解除機構が設けられている建築用開閉装置。
【請求項２】
請求項１において、連結片は、上下縁部が剛性パネル体に連結される第一の支軸と、変形自在パネル体に連結される第二の支軸とにそれぞれ連結する構成とし、連結解除機構は少なくとも一方の支軸を破断させる構成とした建築用開閉装置。
【請求項３】
請求項２において、連結解除機構は、少なくとも一方の支軸を樹脂製にすることで構成されている建築用開閉装置。
【請求項４】
請求項２または３において、連結解除機構は、上側に位置する支軸を破断させるように構成されている建築用開閉装置。
【請求項５】
請求項２、３または４において、連結解除機構を構成する支軸は、破断に必要な負荷を調整できるように構成されている建築用開閉装置。
【発明の詳細な説明】
【技術分野】
【０００１】
本発明は、建築物の開口部等に建付けられる建築用開閉装置の技術分野に属するものである。
【背景技術】
【０００２】
一般に、建築物の開口部を開閉する建築用開閉装置のなかには、複数のパネル体の上下縁部を互いに折曲自在に連結してなる開閉体を、開口部両側から天井部に沿う略Ｌ字形のガイドレールに移動自在にガイドせしめ、ガイドレールの垂直部に位置する全閉姿勢と、ガイドレールの水平部に位置する全開姿勢とに変姿するよう構成された所謂オーバーヘッド式の開閉装置が知られている。このような開閉装置が倉庫のような場所に設けられた場合においては、例えば開口部を出入りするフォークリフトが閉鎖状態の開閉体や、開閉途中の開閉体に衝突することが想定され、このような場合、フォークリフトは開閉体を構成する最下端のパネル体に当ってしまうことが多く、最下端のパネル体を損傷してしまうばかりでなく、該最下端のパネル体の上側に連結される上側パネル体やガイドレールを損傷してしまう惧れがある。
【０００３】
この改善策として、最下端パネル体を柔軟性と復元性を有したもので構成するとともに、該最下端パネル体と最下端パネル体の上側に連結される上側パネル体とのあいだの左右方向中間部を、屈曲変形および伸縮変形しやすい中間片を備えた中間ヒンジにより連結する構成とし、最下端パネル体が変形することにより上側パネル体やガイドレールへの影響が低減されるようにしたものが提唱されている。
【特許文献１】特開２０００−３３７００５号公報
【発明の開示】
【発明が解決しようとする課題】
【０００４】
しかるに、前記従来のものは、中間ヒンジの中間片が変形することにより最下端パネル体の変形を許容し、これによって、最下端パネル体の損傷を防止するようにしている。そして、前記変形する中間片の上下に一体的に連続する上下縁部を剛性大なものとし、これら上下縁部を取り付け片として、最下端パネル体と上側パネル体とにそれぞれ螺着固定されている。このため、このものでは、最下端パネルが大きく変形し、該変形を中間片により吸収仕切れないような場合では、最下端パネル体の損傷は勿論、最下端パネル体と螺着されている中間ヒンジが損傷してしまうばかりでなく、上側パネル体をも損傷してしまうことが考えられ、このようになると、最下端パネル体、中間ヒンジ、さらには、上側パネル体をも修理、交換しなければならないという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、複数のパネル体の上下縁部を互いに折曲自在に連結してなる開閉体を、開口部両側から天井部に沿う略Ｌ字形のガイドレールに移動自在にガイドせしめ、ガイドレールの垂直部に位置する全閉姿勢と、ガイドレールの水平部に位置する全開姿勢とに変姿してなる建築用開閉装置において、前記開閉体を、剛性の大きい複数の剛性パネル体の下方に、少なくとも一枚の湾曲変形自在な変形自在パネル体が連結される構成とし、剛性パネル体と変形自在パネル体との左右方向中間部を連結手段で連結するにあたり、前記連結手段は、上下縁部が剛性パネル体と変形自在パネル体とにそれぞれ連結される剛性の連結片と、変形自在パネル体の変形に基づく負荷が大きくなることにより連結片による連結を解除する連結解除機構が設けられているものである。
そして、このようにすることにより、変形自在パネル体の変形に基づく負荷が大きくなると連結手段が連結解除され、変形自在パネル体のさらなる変形を許容して保護することができる。
請求項２の発明は、請求項１において、連結片は、上下縁部が剛性パネル体に連結される第一の支軸と、変形自在パネル体に連結される第二の支軸とにそれぞれ連結する構成とし、連結解除機構は少なくとも一方の支軸を破断させる構成としたものであり、このようにすることにより、連結解除機構を簡単な構成とすることができる。
請求項３の発明は、請求項２において、連結解除機構は、少なくとも一方の支軸を樹脂製にすることで構成されているものであり、このようにすることにより、構成の簡略化を図ることができる。
請求項４の発明は、請求項２または３において、連結解除機構は、上側に位置する支軸を破断させるように構成されているものであり、このようにすることにより、連結片が紛失してしまうような不具合がなく、かつ、変形自在パネル体を元状態に復帰させるときに連結片が邪魔になるような不具合を解消することができる。
請求項５の発明は、請求項２、３または４において、連結解除機構を構成する支軸は、破断に必要な負荷を調整できるように構成されているものであり、このようにすることにより、建築用開閉装置の使用目的、設置場所等に対応した調整をすることができる。
【発明の効果】
【０００６】
請求項１の発明とすることにより、変形自在パネル体のさらなる保護を図ることができる。
請求項２の発明とすることにより、連結解除機構を簡単な構成とすることができる。
請求項３の発明とすることにより、構成の簡略化を図ることができる。
請求項４の発明とすることにより、連結片が紛失してしまうような不具合がなく、かつ、変形自在パネル体を元状態に復帰させるときに連結片が邪魔になるような不具合を解消することができる。
請求項５の発明とすることにより、建築用開閉装置の使用目的、設置場所等に対応した調整をすることができる。
【発明を実施するための最良の形態】
【０００７】
つぎに、本発明の実施の形態について、図１〜８の図面に基づいて説明する。
図面において、１は建築用開閉装置であるオーバーヘッド式ドアを構成するドア体（開閉体）であって、該ドア体１は、左右方向に長い複数のパネル体２と、最下端に位置する最下端パネル体３とを上下方向に連装して構成されている。前記各パネル体２同志は、左右端部において連結する左右の連結金具４と、左右方向中間部において連結する中間の連結金具５とにより、これら連結金具４、５のヒンジ軸４ａ、５ａを支点として折曲自在に連結されている。そして、前記パネル体２のうち、最下端に位置するパネル体２が本発明の上側パネル体２ａに相当しており、該上側パネル体２ａと最下端パネル体３とは、前記左右の連結金具４により左右端部が折曲自在に連結され、ヒンジ軸４ａを支点として折曲自在に連結されているとともに、左右方向中間部においては、後述するように本発明の連結手段６により折曲自在に連結されている。
【０００８】
そして、各パネル体２、３を連結する左右の連結金具４には、それぞれ外方に突出するローラ４ｂが回転自在に支持されており、これら各ローラ４ｂは、建築物開口部の左右に立設されたガイドレール７のガイド溝７ａに抜け止め状に嵌合されており、ガイド溝７ａ内を移動自在に転動するように設定されている。
一方、ガイドレール７は、開口部の左右に立設される一対のものであって、開口部両側に沿う垂直部７ｂと、天井部に沿う水平部７ｃと、前記垂直部７ｂと水平部７ｃとのあいだのＲ状部７ｄとを備えて一体的に形成されている。これによって、ガイドレール７にローラ４ｂを介して嵌合されたドア体１は、ガイドレール垂直部７ｂに位置して開口部を閉鎖する全閉姿勢とドア体１が水平部７ｃに位置して開口部を開放する全開姿勢とのあいだを移動変位するように設定されている。
【０００９】
また、ガイドレール垂直部７ｂの上方には、図示しない開閉機の駆動に基づいて正逆回転する巻取り軸８の両端部が回転自在に支架されており、該巻取り軸８の左右両端部に、巻取りドラム８ａが一体的に設けられている。前記巻取りドラム８ａにはワイヤ９が巻装されており、該ワイヤ９の巻出し端部がドア体１の最下端である最下端パネル体３の下端部に連結されている。そして、巻取り軸８の正逆回転に伴い巻取りドラム８ａが正逆回転することに基づいて、巻取りドラム８ａに巻装されるワイヤ９が巻取りまたは巻出しがなされ、これによって、ドア体１はガイドレール７に沿って全開姿勢と全閉姿勢とのあいだを移動するように設定されている。
尚、１０は、巻取り軸８に介装されたバランス弾機であって、該バランス弾機１０はドア体１の閉鎖に伴い、ドア体１を開放する方向に巻取り軸８（巻取りドラム８ａ）を回転させるように付勢する構成であり、ドア体１の開放作動を補助するように構成されており、これらの構成は従来通りである。
【００１０】
前記開閉体１において、最下端パネル体３の上方に位置する全てのパネル体２、２ａは、本実施の形態では、本発明の剛性パネル体に相当しており、金属製板材で構成された前後面２ｂのあいだに断熱材２ｃを介装して形成されており、大きい剛性を有した変形しにくいものに構成されている。一方、最下端パネル体３は、本発明の変形自在パネル体に相当しており、樹脂製のシート材で構成された前後面３ａのあいだに、クッション材（衝撃緩衝材に相当する）３ｂを充填して柔軟性を有したものに構成されており、さらには、クッション材３ｂの前後方向中間部に、樹脂製の板材に樹脂製の波型材を貼着して構成された補強部材（芯材）３ｃが設けられたものに構成されている。これによって、最下端パネル体３は、例えばフォークリフトのフォークに衝突されたような場合に、最下端パネル体３の柔軟性に基づいて湾曲状（屋内外方向）に変形して衝撃を吸収するとともに、該衝突が解消された場合では、補強部材３ｃの有する弾性的な復元力に補助される状態で形状復帰できるように構成されている。
尚、本実施の形態のドア体（開閉体）１は、変形自在パネル体が最下端にのみ連結される構成であるが、使用目的に応じてドア体の下方部位に変形自在パネルを複数枚設ける構成としてもよい。
【００１１】
つぎに、剛性の大きい上側パネル体２ａと最下端パネル体３との連結状態について詳しく説明する。
まず、上側パネル体２ａと最下端パネル体３との左右両端部における連結であるが、該左右端部における連結は、前述したように、左右の連結金具４による連結がなされている。図３に、ドア体１の後面（屋内側面）に向かって右側の端部を示すが、連結金具４を構成する支持ブラケット１１は、最下端パネル体３端部の前後方向一側面（本実施の形態では屋内側面）に一体的に取り付けられている。前記支持ブラケット１１には、前記一方に突出する取り付け片１１ａが一体的に突出形成されており、該取付け片１１ａに、貫通孔１１ｂが開設されている。一方、上側パネル体２ａの左右両端部には、連結金具４を構成するヒンジ軸４ａの基端部が左右方向を向いて固定されており、該ヒンジ軸４ａの左右方向外方を向く先端部を、前記支持ブラケット貫通孔１１ｂに回転自在に貫通、支持させることにより、左右の連結金具４による上側パネル体２ａと最下端パネル体３との折曲（折り曲げ）自在な連結がなされるように設定されている。
尚、支持ブラケット取り付け片１１ａには、ガイドレール７を走行するローラ４ｂを軸承するローラ軸４ｃ基端部が一体的に連結固定固定されている。
【００１２】
さて、前記連結手段６は、上側パネル体２ａと最下端パネル体３との左右方向中間部であって、本実施の形態では中央部に一箇所設けられている。因みに、連結手段６は、ドア体１の左右方向幅によっては、一箇所に限らず複数箇所に設けることも可能である。
さて、連結手段６を構成する第一ブラケット１２は、剛性の大きい金属材で形成されており、上側パネル体２ａの前後方向一方側面（屋内側面）に固定されている。前記第一ブラケット１２には、上側パネル体２ａに突き当てられる固定片１２ａが形成されており、該固定片１２ａの左右両側に、前後方向に突出する支持片１２ｂが折返し状に折曲形成されている。これら支持片１２ｂの左右には、上側パネル体２ａに固定される補助固定片１２ｃがさらに形成されており、第一ブラケット１２は、固定片１２ａと補助固定片１２ｃとを上側パネル体２ａに突き当てて、ボルト１２ｄを螺合することにより上側パネル体２ａに止着（固定）されている。そして、前記左右の支持片１２ｂには、上下に二つの貫通孔１２ｅ、１２ｆがそれぞれ開設されているが、下側の貫通孔１２ｆは、孔中心が前記左右の連結金具４のヒンジ軸４ａの軸芯と同位置になるように設定されている。そして、下側貫通孔１２ｆに、本発明の第一の支軸である第一支軸１３の両端部が抜止め状に支架されており、該第一支軸１３がヒンジ軸４ａの軸芯上に位置するように設定されている。尚、第一支軸１３は、樹脂材で一体形成されたものであって、所定の負荷が作用することで破断するよう剛性の小さいものになっており、さらに、第一支軸１３の左右の支持片１２ｂ近傍部位で、かつ、支持片１２ｂの内側に位置する外周回りにリング状の凹部１３ａが凹設されており、これによって、第一支軸１３に大きな負荷が作用したとき、該リング状凹部１３ａに負荷が集中し、該部位が先行して破断するように設定されており、該リング状凹部１３ａが本発明の脆弱部に相当している（以降、脆弱部１３ａとする）。
因みに、支持片１２ｂの上側貫通孔１２ｅには、第一支軸１３のスペアーとなる支軸１３Ｓが貫通支持されており、後述するように、第一支軸１３が破損したときにすぐに部品交換ができるように配慮されている。尚、１３ｂは、第一支軸１３、１３Ｓの第一ブラケット１２からの抜け止めをするための抜け止めピンである。
【００１３】
一方、連結手段６を構成する第二ブラケット１４は、剛性の大きい金属材で形成されており、第一部ブラケット１２の下方に位置する状態で、最下端パネル体３の前後方向一方側面（屋内側面）に固定されている。前記第二ブラケット１４には、最下端パネル体３に突当てられる固定片１４ａが形成され、該固定片１４ａがボルト１４ｂを用いて最下端パネル体３に螺合、止着されている。前記固定片１４ａの左右両側部には、前後方向に突出する支持片１４ｃが折曲形成されており、これら支持片１４ｃに貫通孔１４ｄが開設されており、ここに、本発明の第二の支軸である第二支軸１５の両端部が抜け止め状に遊嵌支持されているが、該第二支軸１５は金属材で構成されており、樹脂製の前記第一支軸１３よりも大きい剛性を有している。
【００１４】
１６は、第一、第二支軸１３、１５とのあいだを連結する連結片であって、該連結片１６は剛性を有した金属材で形成されており、上端縁部に左右方向を向く筒孔を有した上側筒状部１６ａが形成され、下端縁部に左右方向を向く筒孔を有した下側筒状部１６ｂが形成されている。そして、上側筒状部１６ａには前記第一支軸１３が一体回動する状態で挿通され、下側筒状部１６ｂには前記第二支軸１５が回転摺動自在に挿通されている。これによって、上側パネル体２ａと最下端パネル体３とは、連結片１６の上下縁部においてそれぞれ折曲する状態で連結されている。そうして、剛性を有した上側パネル体２ａに対して柔軟性を備えた最下端パネル３が、障害物との当接等による衝撃を吸収すべく変形しようとしたとき、最下端パネル体３は、連結片１６が揺動することに基づいて上側パネル体２ａに対して前後方向に変位することにより前記変形を吸収（許容）するように設定されており、連結片１６の揺動許容範囲において最下端パネル体３の変形が可能となるように設定可能となり、該変位によって、最下端パネル体３の変形を吸収するように設定されている。
ここで、上側パネル体２ａと最下端パネル体３とを連結する連結手段６は、ドア体１の自然状態、即ち、上側パネル体２ａと最下端パネル体３とが面一状になっている例えばドア体１の全閉姿勢において、図４に示すように、上側パネル体２ａの下端部に配される下框材２ｄと最下端パネル体３の上端部に配される上框材３ｄとが前後方向に変位（位置ズレ）することなく当接しており、このとき、第一、第二支軸１３、１５を連結する連結片１６は各パネル面と平行となる位置関係になっている。因みに、最下端パネル体３の上框材３ｄおよび下框材３ｅとは、樹脂材で形成されており、最下端パネル体３の変形に合わせて適宜変形するように構成されている。
【００１５】
このように連結されたドア体１は、前述したように、Ｒ状部７ｄを備えたガイドレール７を移動することになるが、Ｒ状部７ｄを走行する場合では、左右の連結金具４および中間の連結金具５のヒンジ軸４ａ、５ａを支点として上下のパネル体２同志が折れ曲がる状態で走行する。このとき、最下端パネル体３と上側パネル体２ａとは、左右の連結金具４のヒンジ軸４ａを支点として折れ曲り、左右方向中間部における連結手段６配設部位では、図６に示すように、左右のヒンジ軸４ａと同軸上に位置する上側パネル体２ａの第一支軸１３を支点として折れ曲る状態となっており、連結手段６が開閉作動時における最下端パネル体３と上側パネル体２ａとの折曲作動を損なうことがないように構成されている。
【００１６】
そして、最下端パネル体３に障害物が当接して屋外側に向く負荷が作用し、最下端パネル体３を屋外側に変形させるような場合に、該変形が小さく、連結片１６の揺動により吸収できる範囲の変形では、図７の実線で示すように、連結片１６の上側筒状部１６ａと一体となった第一支軸１３が第一ブラケット下側貫通孔１２ｆを支点として回転摺動し、これによって、連結片１６の下縁部が屋外側に向けて揺動して第二支軸１５を屋外側に変位させ、しかして、最下端パネル体３の負荷に基づく変形（位置ズレ）を吸収するように設定されている。
これに対し、最下端パネル体３に障害物が当接して屋内側に向く負荷が作用し、最下端パネル体３を屋内側に変形させるような場合に、該変形が小さく、連結片１６の揺動により吸収できる範囲の変形では、図８の実線に示すように、連結片１６の上側筒状部１６ａと一体となった第一支軸１３が第一ブラケット下側貫通孔１２ｆを支点として回転摺動し、これによって、連結片１６の下縁部が屋内側に向けて揺動して第二支軸１５を屋内側に変位させ、しかして、最下端パネル体３の負荷に基づく変形を吸収するように設定されている。
【００１７】
一方、このものにおいて、最下端パネル体３への負荷が大きい場合、最下端パネル体３の変形が大きくなり、該変形を連結片１６の揺動（変位）では吸収することができなくなるが、このようになると、最下端パネル体３の変形に基づく大きな負荷が連結片１６を介して第一、第二支軸１３、１５に作用する。この場合に、第一支軸１３は、第二支軸１５よりも剛性が小さく、かつ、脆弱部１３ａが形成されていることから、所定の負荷に達することにより脆弱部１３ａが先行して破断（破損）し、連結手段６による連結が解除されるように設定されており、該構成が本発明の連結解除機構に相当する。
このように連結解除機構が実施されると、上側パネル体２ａと最下端パネル体３との連結が解除され、最下端パネル体３の左右方向中間部は自由に変形することが可能となり、さらなる衝撃吸収が可能となって最下端パネル体３の保護が図れるように設定されている。さらに、この状態となると、最下端パネル体３の変形による負荷が第一ブラケット１２に波及することがなく、これによって、第一ブラケット１２の保護（破損防止）が図れ、さらには、上側パネル体２ａの保護も図れるように設定されている。
【００１８】
さらに、前記第一支軸１３が破断した場合に、第一支軸１３が挿通された連結片１６は、上側筒状部１６ａは自由状態となるが、最下端パネル体３側の第二支軸１５とは連結されて一体化されたままとなっている。これによって、連結片１６は、第一支軸１３の破断による衝撃を受ける状態で第二支軸１５を支点として上側筒状部１６ａが下方に垂下して（図７、８の仮想線）、連結片１６が第一支軸１３の破断の衝撃で紛失してしまうようなことがないように構成され、これによって、連結手段６の保護が図れるように設定されている。さらには、最下端パネル体３を元状態に復帰させ、上側パネル体２ａの直下に位置させるときに、連結片１６は、最下端パネル体３の下方に位置しているので、復帰作業の邪魔にならないようにすることができる。
そして、最下端パネル体３を元位置に戻した状態で、第一ブラケット１２に予め用意されているスペアの第一支軸１３Ｓを上側貫通孔１２ｅから取り外し、下側貫通孔１２ｆと連結片上側筒状部１６ａに挿通、抜け止めすることにより、連結手段６の復帰がなされるように構成されている。
因みに、本発明の第一支軸１３に形成される脆弱部１３ａは凹溝形状に形成されているので、該凹溝形状を変化させることにより脆弱部１３ａが破断するまでの負荷を調整することができ、例えば溝幅の調整、溝深さを変えることにより適宜負荷を調整することができる。
【００１９】
叙述の如く構成された本形態において、ドア体１の開閉途中、あるいは閉鎖時において、最下端パネル体３にフォークリフトのような障害物が当接した場合、最下端パネル体３は、柔軟性を存しているが故に変形することで衝撃を吸収するが、該吸収に伴う最下端パネル体３の変形による負荷は、左右方向中央部に設けられた連結手段６に作用する。そしてこの場合に、連結手段６は、上側パネル体２ａと最下端パネル体３とにそれぞれ設けた第一、第二支軸１３、１５に、剛性の大きい連結片１６の上下縁部を回転摺動自在に連結することにより構成されている。このため、第一支軸１３を支点とする連結片１６の揺動範囲において、最下端パネル体３の上側パネル体２ａに対する前後方向への変位を許容することができて、最下端パネル体３の保護を図ることができる。
このように、本発明が実施された連結手段６は、連結片１６の剛性を大きくしたものでありながら、最下端パネル体３の変形を許容するものであるが、連結手段６には、最下端パネル体３の変形に基づく負荷が大きくなると、連結片１６による連結が解除されるので、最下端パネル体３の左右方向中間部を上側パネル体２ａに対して自由状態にすることができる。この結果、最下端パネル体３への負荷が大きい場合では、剛性の大きい上側パネル体２ａに変形規制を受けることなく、最下端パネル体３がさらなる変形を許容されることになって、最下端パネル体３の損傷が防止されて一層の保護を図ることができる。
【００２０】
さらに、この場合に、連結手段６は、第一支軸１３を第二支軸１５の剛性よりも小さい剛性のものに形成し、しかも、第一支軸１３に脆弱部１３ａが形成された連結解除機構が設けられているので、最下端パネル体３の変形に基づく負荷が連結手段６に大きく作用した場合では、第一支軸１３の脆弱部１３ａが積極的に破断され、最下端パネル体３の左右方向中間部を上側パネル体２ａに対して自由状態にすることができる。そして、第一支軸１３の破断により、連結片１６は上側パネル体２ａとの干渉がなくなり、しかも、第二支軸１５を支点として垂下するようになるため、連結片１６が紛失してしまうような不具合がないうえ、第一ブラケット１２の保護がなされ、もって、連結手段６の保護、さらには、上側パネル体２ａの破損防止を図ることができる。
【００２１】
また、このものでは、連結片１６を連結するために必要な第一、第二支軸１３、１５の何れか一方を樹脂材で形成することにより連結解除機構を構成しているので、別途部材が必要になることがなく、構成の簡略化を図ることができる。
【００２２】
さらに、このものでは、最下端パネル体３への負荷が大きく、大きな変形がなされた場合、連結手段６による連結が解除されるので、最下端パネル体３が柔軟性に基づいて大きく変形して負荷を吸収することができて、最下端パネル体３のさらなる保護が図れる。しかも、この場合に、連結手段６が解除されたとき、第一支軸１３の破断により上縁部が自由状態となった連結片１６は、最下端パネル体３側の第二支軸１５との連結は維持され、該第二支軸１５を支点として上縁部が下方に垂下した状態となっている。このため、位置ズレした最下端パネル体３を上側パネル体２ａの直下に戻そうとしたとき、連結片１６が上側パネル体２ａとのあいだに入り込んでしまうような不具合がなく、作業性よくドア体１の修復作業を行うことができる。
因みに、下側に位置する第二支軸１５を破断させる構成とすることも可能であり、この場合では、第一支軸１３に吊持される状態となる連結片１６が最下端パネル体３の位置ズレを修復するときに邪魔になる可能性がある。そこで、このように構成する場合では、連結片１６と第一ブラケット１２とのあいだに付勢弾機を設け、第二支軸１５が破断したとき連結片１６が上方に回動するように構成することで、修復時に連結片１６が邪魔になる不具合を回避することができる。
【００２３】
また、このものでは、第一支軸１３に形成された脆弱部１３ａの溝形状を変化させること等により、第一支軸１３の強度を変えることができ、第一支軸１３を破断させるための負荷を予め設定することができる。これによって、第一支軸１３の破断に要する負荷を、設置環境やパネル体２の材質等に応じて適宜設定することで、使用目的や設置環境に適応する優れた機能の開閉装置とすることができる。
【００２４】
そのうえ、このものでは、最下端パネル体３には、クッション材３ｂが充填されているうえ、弾性的な復元力を備えた補強部材３ｃが設けられているので、大きな負荷により大きく変形したとしても、元状態への復帰が促進され、操作性のよい優れた開閉装置とすることができる。
【００２５】
尚、本発明は前記実施の形態に限定されないことは勿論であって、第一、第二支軸の何れか一方を樹脂製とすることで互いの強度を変えることでも実施することができる。また、一方の支軸に形成される脆弱部は、凹溝形状に限らず、中空状にする等、他方の支軸に体する強度が変化するように構成することで実施することができる。
【図面の簡単な説明】
【００２６】
【図１】建築用開閉装置の屋内側からの正面図である。
【図２】建築用開閉装置の側面図である。
【図３】要部右端部を説明するための側面断面図である。
【図４】連結手段を説明する側面断面図である。
【図５】図５（Ａ）、（Ｂ）はそれぞれ連結手段の正面図、図５（Ａ）におけるＸ−Ｘ断面図である。
【図６】連結手段における最下端パネル体の折り曲げ状態を説明する側面断面図である。
【図７】連結手段における最下端パネル体の変位状態を説明する側面断面図である。
【図８】連結手段における最下端パネル体の変位状態を説明する側面断面図である。
【符号の説明】
【００２７】
１    ドア体
２    パネル体
２ａ    上側パネル体
３    最下端パネル体
３ｃ    補強部材
４    連結金具
４ａ    ヒンジ軸
４ｂ    ローラ
６    連結手段
７    ガイドレール
１１    支持ブラケット
１２    第一ブラケット
１３    第一支軸
１３ａ    脆弱部
１４    第二ブラケット
１５    第二支軸
１６    連結片
【図１】
2005226350.tif 000003
【図２】
2005226350.tif 000004
【図３】
2005226350.tif 000005
【図４】
2005226350.tif 000006
【図５】
2005226350.tif 000007
【図６】
2005226350.tif 000008
【図７】
2005226350.tif 000009
【図８】
2005226350.tif 000010